(57)【要約】【課題】少なくとも２本の発光管を備えたマルチタイプの高輝度放電ランプにおいて、再始動時間を更に短くする技術を提供する。【解決手段】外管と、該外管内に設けられた少なくとも２本の内管と、該内管内の各々に設けられた発光管と、を有する高輝度放電ランプにおいて、前記発光管は、発光部と該発光部の両側のキャピラリ部とを有し、前記セキャピラリ部の外端より、電極リードが、それぞれ突出しており、前記発光管の外側に近接導体が設けられ、該近接導体の両端は、前記キャピラリ部の各々の外面に装着され、前記近接導体は、前記電極リードに対して絶縁されている。【選択図】図４Ｄ
2014167865.tif 000002
【特許請求の範囲】
【請求項１】
外管と、該外管内に設けられた少なくとも２本の内管と、該内管内の各々に設けられた発光管と、を有する高輝度放電ランプにおいて、
前記発光管は、発光部と該発光部の両側のキャピラリ部とを有し、前記セキャピラリ部の外端より、電極リードが、それぞれ突出しており、
前記発光管の外側に近接導体が設けられ、該近接導体の両端は、前記キャピラリ部の各々の外面に装着され、前記近接導体は、前記電極リードに対して絶縁されていることを特徴とする高輝度放電ランプ。
【請求項２】
請求項１記載の高輝度放電ランプにおいて、
前記近接導体の両端は前記キャピラリ部の各々の根元に巻き付けられて固定され、前記近接導体の中間部は、前記発光管の発光部の外側にて、且つ、該発光部に接触して、又は、接触しないで近接して延びていることを特徴とする高輝度放電ランプ。
【請求項３】
請求項１又は２記載の高輝度放電ランプにおいて、
前記発光管の周囲を囲むように螺旋状のワイヤが設けられていることを特徴とする高輝度放電ランプ。
【請求項４】
請求項１〜３のいずれか１項記載の高輝度放電ランプにおいて、
前記電極リードの外端は、それぞれ、Ｕ字ワイヤを介して、給電用リード線に、それぞれ接続され、該給電用リード線は前記内管の孔を貫通して前記内管の外側に延びていることを特徴とする高輝度放電ランプ。
【発明の詳細な説明】
【技術分野】
【０００１】
本発明は、高輝度放電ランプ（ＨＩＤランプ）に関し、特に、複数の発光管を備えた高輝度放電ランプに関する。
【背景技術】
【０００２】
近年、２本の発光管を備えた、所謂、ツインタイプのメタルハライドランプが開発されている。ツインタイプのメタルハライドランプでは、２本の発光管のうち、点灯し易い一方の発光管のみが点灯する。従って、ツインタイプのメタルハライドランプの平均寿命は、理論上、通常のシングルタイプのメタルハライドランプの平均寿命の２倍となる。例えば、シングルタイプのメタルハライドランプの平均寿命は2万4,000時間程度である。ツインタイプのメタルハライドランプの平均寿命は、理論上、4万8,000時間程度となり、ＬＥＤ（Light Emitting Diode）ランプの公称平均寿命の4万時間を超えることが可能となる。
【０００３】
ツインタイプのメタルハライドランプは、シングルタイプのメタルハライドランプと比較して、再始動特性が良い。再始動特性とは、ランプを消灯してから短時間後に再度点灯するときの点灯し易さ、点灯安定性を言う。一般に、シングルタイプのメタルハライドランプの再始動時間は、１５分以上である。消灯直後では高温状態のため、始動に適した温度に冷却されるまで、１５分以上必要だからである。従って、消灯から十分に時間が経過した常温状態では、６〜７分程度で点灯する。
【０００４】
ツインタイプのメタルハライドランプの再始動時間は、７〜８分程度である。ツインタイプのメタルハライドランプでは、消灯直後であっても、他方の発光管は消灯から十分に時間が経過しているため、十分冷却された状態となっている。そのため、再始動時間が比較的短い。近年、ツインタイプのメタルハライドランプの再始動時間の更なる短縮化の要請が強くなっている。
【０００５】
一般に、メタルハライドランプを含むＨＩＤランプは再始動時間が比較的長いといわれている。上述のように、ツインタイプのメタルハライドランプの再始動時間は、シングルタイプのメタルハライドランプの再始動時間と比較すると短いが、白熱ランプ、蛍光ランプ、ＬＥＤなどの他種照明光源の再始動時間よりは長い。他種照明光源には瞬時再点灯が可能なものもある。
【０００６】
従って、ツインタイプのメタルハライドランプでも、数秒〜１分以内に再始動できれば、他種照明光源と比較して再始動時間が長いという短所が解消されるため、メタルハライドランプの長所を利用することにより、産業上の利用価値が更に高くなる。
【０００７】
またＨＩＤランプでは、製品完成時にエージング処理を行うことにより、ランプの点灯特性の安定化を図っている。エージング処理は、例えば、ランプに定格電圧（例えば、２００Ｖ）を３０分程度印加して継続的に点灯する処理である。ツインタイプのランプでは２本の発光管をエージング処理する必要があり、エージング処理を効率的に行うためにも、再始動時間を短くする必要がある。
【先行技術文献】
【特許文献】
【０００８】
【特許文献１】実開昭60-38463号公報
【特許文献２】特開2003-92082号公報
【特許文献３】特開2004-193061号公報
【特許文献４】特開2011-77035号公報
【特許文献５】特開平10-294085号公報（特許第3208087号）
【発明の概要】
【発明が解決しようとする課題】
【０００９】
特許文献１〜５には、高輝度放電ランプの再始動特性を向上させるために、トリガー線、又は、近接導体を用いる例が記載されている。近接導体を発光管の外側に配置することによって、再始動性が向上することが知られている。しかしながら、これらの特許文献には、ツインタイプのメタルハライドランプにおいて、トリガー線、又は、近接導体を用いる例は記載されていない。
【００１０】
本発明は、少なくとも２本の発光管を備えたマルチタイプの高輝度放電ランプにおいて、再始動時間を更に短くする技術を提供することにある。
【課題を解決するための手段】
【００１１】
本願の発明者は、ツインタイプのメタルハライドランプの再始動時間を短縮化するために、近接導体を用いることを着想した。
【００１２】
上述のように、ツインタイプのメタルハライドランプの再始動時間は、一本の発光管を備えた通常のメタルハライドランプの再始動時間より短い。その理由は、ツインタイプのメタルハライドランプでは、２本の発光管のうち始動し易い方の発光管が点灯する。従って、再始動により点灯するのは、点灯していなかった他方の発光管である。点灯していなかった他方の発光管の温度は、消灯直後の発光管の温度より低いが、高温の発光管に隣接しているため、常温よりは相当に高い。従って、ツインタイプのメタルハライドランプの再始動特性の向上には、シングルタイプのメタルハライドランプの始動特性について得られた知見を利用することができない。
【００１３】
そこで、本願の発明者は、ツインタイプのメタルハライドランプにおいて、発光管に様々な形態の近接導体を用いて、再始動時間を測定した。その結果、近接導体を電極リードの電圧に対して浮遊状態とすることによって、再始動時間が短縮されることを見出した。
【００１４】
本発明によると、外管と、該外管内に設けられた少なくとも２本の内管と、該内管内の各々に設けられた発光管と、を有する高輝度放電ランプにおいて、
前記発光管は、発光部と該発光部の両側のキャピラリ部とを有し、前記セキャピラリ部の外端より、電極リードが、それぞれ突出しており、
前記発光管の外側に近接導体が設けられ、該近接導体の両端は、前記キャピラリ部の各々の外面に装着され、前記近接導体は、前記電極リードに対して絶縁されている。
【００１５】
本実施形態によると前記高輝度放電ランプにおいて、
前記近接導体の両端は前記キャピラリ部の各々の根元に巻き付けられて固定され、前記近接導体の中間部は、前記発光管の発光部の外側にて、且つ、該発光部に接触して、又は、接触しないで近接して延びてよい。
【００１６】
本実施形態によると前記高輝度放電ランプにおいて、
前記発光管の周囲を囲むように螺旋状のワイヤが設けられてよい。
【００１７】
本実施形態によると前記高輝度放電ランプにおいて、
前記電極リードの外端は、それぞれ、Ｕ字ワイヤを介して、給電用リード線に、それぞれ接続され、該給電用リード線は前記内管の孔を貫通して前記内管の外側に延びてよい。
【発明の効果】
【００１８】
本発明によれば、少なくとも２本の発光管を備えたマルチタイプの高輝度放電ランプにおいて、再始動時間を更に短くする技術を提供することができる。
【図面の簡単な説明】
【００１９】
【図１Ａ】図１Ａは、本実施形態によるツインタイプのセラミックメタルハライドランプの例の正面構成を示す図である。
【図１Ｂ】図１Ｂは、本実施形態によるツインタイプのセラミックメタルハライドランプの例の側面構成を示す図である。
【図２Ａ】図２Ａは、本実施形態によるツインタイプのセラミックメタルハライドランプの他の例の正面構成を示す図である。
【図２Ｂ】図２Ｂは、本実施形態によるツインタイプのセラミックメタルハライドランプの他の例の正面構成を示す図である。
【図２Ｃ】図２Ｃは、本実施形態によるツインタイプのセラミックメタルハライドランプの他の例の正面構成を示す図である。
【図３Ａ】図３Ａは、本実施形態によるツインタイプのセラミックメタルハライドランプの内管の例の構成を示す図である。
【図３Ｂ】図３Ｂは、本実施形態によるツインタイプのセラミックメタルハライドランプの内管の他の例の構成を示す図である。
【図３Ｃ】図３Ｃは、本実施形態によるツインタイプのセラミックメタルハライドランプの内管の他の例の構成を示す図である。
【図３Ｄ】図３Ｄは、本実施形態によるツインタイプのセラミックメタルハライドランプの内管の他の例の構成を示す図である。
【図３Ｅ】図３Ｅは、本実施形態によるツインタイプのセラミックメタルハライドランプの内管の他の例の構成を示す図である。
【図４Ａ】図４Ａは、本願の発明者が実施した実験に用いたツインタイプのセラミックメタルハライドランプの内管の比較例１の構成を示す図である。
【図４Ｂ】図４Ｂは、本願の発明者が実施した実験に用いたツインタイプのセラミックメタルハライドランプの内管の比較例２の構成を示す図である。
【図４Ｃ】図４Ｃは、本願の発明者が実施した実験に用いたツインタイプのセラミックメタルハライドランプの内管の比較例３の構成を示す図である。
【図４Ｄ】図４Ｄは、本願の発明者が実施した実験に用いたツインタイプのセラミックメタルハライドランプの内管の実施例の構成を示す図である。
【図５Ａ】図５Ａは、本願の発明者が実施した通常条件下の再始動実験の結果を示す図である。
【図５Ｂ】図５Ｂは、本願の発明者が実施した通常条件下で定格電圧の１０％減の電圧を印加した場合の再始動実験の結果を示す図である。
【図６Ａ】図６Ａは、本願の発明者が実施した過酷条件下の再始動実験の結果を示す図である。
【図６Ｂ】図６Ｂは、本願の発明者が実施した過酷条件下の再始動実験の結果を示す図である。
【図６Ｃ】図６Ｃは、本願の発明者が実施した過酷条件下の再始動実験の結果を示す図である。
【図７】図７は、本実施形態によるツインタイプのセラミックメタルハライドランプの給電回路の例の構成を示す図である。
【発明を実施するための形態】
【００２０】
以下、本発明に係る高輝度放電ランプの実施形態に関して、添付の図面を参照しながら詳細に説明する。なお、図中、同じ要素に対しては同じ参照符号を付して、重複した説明を省略する。
【００２１】
本発明の実施形態による高輝度放電ランプは、複数の発光管を備えるマルチタイプであるが、以下に、２本の発光管を備えたツインタイプの高輝度放電ランプ、特に、ツインタイプのセラミックメタルハライドランプを例として説明する。
【００２２】
図１Ａは本実施形態のツインタイプのセラミックメタルハライドランプの正面図、図１Ｂはその側面図である。本実施形態のツインタイプのセラミックメタルハライドランプ１０は、外管１１と、その端部に設けられた口金１２と、口金１２の内側に設けられたステム１３と、を有する。ステム１３に気密封止された１対の導入線に、棒状のマウント６と矩形のマウント７Ａが、それぞれ接続されている。棒状のマウント６の先端には他の矩形のマウント７Ｂが接続されている。矩形のマウント７Ａ、７Ｂには、それぞれ、支持部材８Ａ、８Ｂと給電用リード線９Ａ、９Ｂが接続されている。
【００２３】
支持部材８Ａ、８Ｂによって２つの内管１４が支持されている。２つの内管１４の構造は同一であり、以下に、一方の内管１４について説明する。内管１４の内部には、発光管１が設けられている。発光管１の両側から１対の給電用リード線５Ａ、５Ｂが突出している。給電用リード線５Ａ、５Ｂは、内管１４の両端の孔より突出し、支持部材８Ａ、８Ｂ及び給電用リード線９Ａ、９Ｂにそれぞれ接続されている。本実施形態では、発光管１の外側に、発光管１に近接して近接導体２０が配置されている。近接導体２０については後に詳細に説明する。
【００２４】
マウント６、７Ａ、７Ｂは、内管１４を支持する支持部材として機能すると同時に、発光管１に電力を供給する給電線として機能する。マウント６、７Ａ、７Ｂは、モリブデン（Ｍｏ）、ステンレス（ＳＵＳ）、ニッケルメッキ鉄線等の線材によって形成されている。
【００２５】
内管１４は、発光管１が破裂した場合に外管１１が損傷又は破壊することを防止するための防禦部材である。内管１４は透明石英ガラス管によって形成されている。内管１４には、外部空間に接続された開放型と、外部空間に対して密閉された密閉型がある。図示の内管１４は開放型内管である。内管１４の構造の例は、以下に、図３Ａ〜図３Ｄを参照して説明する。
【００２６】
発光管１は、透光性セラミックス製の容器である。発光管１の内部には、発光及び放電媒体として、所定量の水銀と、金属ハロゲン化物と、希ガスとして所定圧力のアルゴン（Ａｒ）ガスが封入されている。希ガスとして、アルゴン（Ａｒ）ガス以外に、クリプトン（Ｋｒ）、キセノン（Ｘｅ）等の他の希ガスや、それらの混合ガスが用いられてもよい。金属ハロゲン化物として、よう素（Ｉ）、臭素（Ｂｒ）、塩素（Ｃｌ）等のハロゲン化物と、ナトリウム（Ｎａ）、ツリウム（Ｔｍ）、セシウム（Ｃｓ）、ディスプロシウム（Ｄｙ）等の少なくとも一種の発光金属ハロゲン化物が封入され、発光効率、演色性や色温度等の特性の向上が図られている。
【００２７】
外管１１は、ホウケイ酸ガラス等の透光性の硬質ガラスからなり、透明型と拡散型（不透明）がある。本例の外管１１は、ＢＴ形であり、最大口径の中央部と、口金側のネック部と、反対側の閉塞されたトップ部を有する。ネック部には、ステム１３の封止部が設けられる。ステム１３に設けられた排気管（図示せず。）を介して、外管１１内は真空排気され、又は、アルゴン（Ａｒ）、窒素（Ｎ2）等の不活性ガスが封入される。ステム１３の封止部を覆うように、ねじ込み形の口金１２が装着される。
【００２８】
本実施形態のセラミックメタルハライドランプは、口金１２をソケット（図示せず。）に装着して、電源から所定の点灯回路装置を介して通電され、主電極間の放電により安定した点灯が持続される。２本の発光管は、始動・駆動回路（図示なし）に対して電気的に並列に接続されている。
【００２９】
図２Ａ、図２Ｂ及び図２Ｃを参照して、本実施形態のツインタイプのセラミックメタルハライドランプの他の例の構造を説明する。本実施形態では、発光管１の外側に、発光管１に近接して近接導体２０が配置されている。近接導体２０については後に詳細に説明する。
【００３０】
これらのセラミックメタルハライドランプでは、発光管１の周囲を囲むように螺旋状に巻かれたワイヤ１５を備えている。ワイヤ１５は、発光管１が破裂した場合に外管１１が損傷又は破壊することを防止するための防禦部材であり、内管１４と同様な機能を有する。即ち、内管１４とワイヤ１５の両者を設けることにより、発光管１が破裂した場合に外管１１を充分に保護することができる。
【００３１】
ワイヤ１５は、発光管１の周囲を囲むように設けられ、内管１４の外側に設けてもよく、内管１４の内側に設けてもよい。ワイヤ１５は、内管１４の各々に個別に設けてもよく、２つの内管の全体を囲むように設けてもよい。
【００３２】
ワイヤ１５は金属製ワイヤ又はファイバ製ワイヤによって形成してよい。金属製ワイヤは、モリブデン（Ｍｏ）製、又は、ニッケル（Ｎｉ）製であってよい。ファイバ製ワイヤは、石英ファイバ製であってよい。
【００３３】
図２Ａの例では、２本の内管１４の全体を取り巻くように１本のワイヤ１５が螺旋状に内管１４の外側に配置されている。図２Ｂの例では、２本の内管１４の各々に１本のワイヤ１５が螺旋状に内管１４の外側に配置されている。図２Ｃの例では、２本の内管１４の各々に１本のワイヤ１５が螺旋状に内管１４の内側に配置されている。
【００３４】
図３Ａ、図３Ｂ、図３Ｃ、及び、図３Ｄを参照して、本実施形態のツインタイプのセラミックメタルハライドランプに用いる内管の例を説明する。これらの例において、内管１４の内部には発光管１が設けられている。発光管１の外側に、且つ、発光管１に近接して近接導体２０が装着されている。近接導体２０の詳細は後に説明する。ここでは、内管１４と発光管１の構造を説明する。ここでは、説明の都合上、内管１４に設けられた螺旋状のワイヤ１５の図示は省略する。
【００３５】
図３Ａに示す内管は、図１Ａに示したツインタイプのセラミックメタルハライドランプに用いられる開放型の内管である。本例の内管１４は、試験管形状の２つの半体１４Ａ、１４Ｂからなり、各部材の底に孔１４ａ、１４ｂが形成されている。一方の半体１４Ａの径は他方の半体１４Ｂの径より大きい。一方の半体１４Ａに他方の半体１４Ｂを挿入することにより、本例の内管１４が形成される。内管１４の両端に孔１４ａ、１４ｂが形成されている。内管１４の内部に発光管１が配置されている。
【００３６】
発光管１は、中央の発光部１Ｃとその両側のキャピラリ部１Ａ、１Ｂを有し、セラミック製である。発光部１Ｃは、回転楕円球、又は、卵形の形状を有し、中心部にて最大径を有する。キャピラリ部１Ａ、１Ｂの径は発光部１Ｃの径より小さい。キャピラリ部１Ａ、１Ｂの外端より、電極リード１ａ、１ｂが、それぞれ突出している。電極リード１ａ、１ｂの外端は、それぞれ、Ｕ字ワイヤ３Ａ、３Ｂを介して、給電用リード線５Ａ、５Ｂに、それぞれ接続されている。給電用リード線５Ａ、５Ｂは、内管１４の孔１４ａ、１４ｂを貫通している。内管１４の孔１４ａ、１４ｂの径は、給電用リード線５Ａ、５Ｂの外径より大きく、両者の間には隙間が形成されている。
【００３７】
図３Ｂに示す内管は開放型である。本例の内管では、一端に封止部（ピンチシール部）１４ｓが形成され、他端に孔１４ｂが形成されている。内管１４の内部に発光管１が配置されている。一方の給電用リード線５Ａは、封止部１４ｓにてシールされている。他方の給電用リード線５Ｂは、内管１４の孔１４ｂを貫通している。内管１４の孔１４ｂの径は給電用リード線５Ｂの外径より大きく、両者の間には隙間が形成されている。
【００３８】
図３Ｃに示す内管は開放型である。本例の内管では、一端に封止部（ピンチシール部）１４ｓが形成され、他端に開口端１４ｃが形成されている。内管１４の内部に発光管１が配置されている。一方の給電用リード線５Ａは、封止部１４ｓにてシールされている。他方の給電用リード線５Ｂは、開口端１４ｃを貫通している。内管１４の開口端１４ｃの径は給電用リード線５Ｂの外径より十分に大きく、両者の間には隙間が形成されている。
【００３９】
図３Ｄに示す内管は密閉型である。本例の内管では、一端に封止部（ピンチシール部）１４ｓが形成され、他端は閉鎖されている。２本の給電用リード線５Ａ、５Ｂは、封止部１４ｓにてシールされている。
【００４０】
図３Ｅに示す内管は密閉型である。本例の内管では、両端に封止部（ピンチシール部）１４ｓが形成され、閉鎖されている。２本の給電用リード線５Ａ、５Ｂは、両側の封止部１４ｓにて、それぞれシールされている。
【００４１】
本願の発明者は、ツインタイプのメタルハライドランプの再始動時間を短縮化するために、近接導体を用いることを着想した。
【００４２】
ツインタイプのセラミックメタルハライドランプでは、２本の発光管のうち始動し易い方の発光管が点灯する。即ち、２本の発光管のうち温度が低い方の発光管が点灯する。従って、点灯するのは、消灯した直後の発光管ではなく、点灯していなかった他方の発光管である。
【００４３】
点灯していなかった他方の発光管の温度は、消灯直後の発光管の温度より低いが、高温の発光管に隣接しているため、常温よりは相当に高い。従って、ツインタイプのメタルハライドランプの再始動特性は、シングルタイプのメタルハライドランプの始動特性について得られた知見を利用することができない。
【００４４】
そこで、本願の発明者は、ツインタイプのメタルハライドランプにおいて、発光管に様々な形態の近接導体を用いて、再始動時間を測定した。その結果、近接導体を電極リードの電圧に対して浮遊状態とすることによって、再始動時間が確実に短縮されることを見出した。
【００４５】
図４Ａ、図４Ｂ、図４Ｃ及び図４Ｄを参照して本願の発明者が実施した再始動時間の測定実験について説明する。これらの図は、本願の発明者が実施した実験に用いたツインタイプのセラミックメタルハライドランプの２本の内管のうちの１本の内管のみを模式的に描いたものである。
【００４６】
ここで、図４Ａの例を比較例１、図４Ｂの例を比較例２、図４Ｃの例を比較例３、図４Ｄの例を本発明の実施例と称する。比較例１〜３と実施例において、内管と発光管の構造は同一であるが、近接導体２０のみが異なる。比較例１〜３と実施例において、近接導体２０の材料は同一であるが、装着形態のみが異なる。近接導体２０は、モリブデン（Ｍｏ）、ニッケル（Ｎｉ）、又は、これらの合金製であってよい。近接導体２０の断面形状及び断面寸法は特に限定されない、即ち、外径が数ｍｍのワイヤによって構成してよく、薄い帯状部材によって構成してもよく、コイル状であってもよい。
【００４７】
先ず、図４Ａを参照して、内管１４の構造を説明する。内管１４は、図１Ａに示したツインタイプのメタルハライドランプに用いられる開放型の内管と同様な構造を有し、図３Ａを参照して説明した。内管１４は、底に孔が設けられた２つの試験管状の半体を組み合わせることによって形成される。従って、内管１４の両端に孔１４ａ、１４ｂが形成されている。
【００４８】
内管１４の内部に配置された発光管１は、発光部１Ｃと両側のキャピラリ部１Ａ、１Ｂを有する。キャピラリ部１Ａ、１Ｂには、それぞれ電極アセンブリ２Ａ、２Ｂが装着されている。電極アセンブリ２Ａ、２Ｂの内端は、発光部１Ｃに配置され、それぞれタングステン（Ｗ）製の主電極に接続されている。
【００４９】
電極アセンブリ２Ａ、２Ｂの外端より、電極リード１ａ、１ｂが、それぞれ突出している。電極リード１ａ、１ｂの外端は、それぞれ、Ｕ字ワイヤ３Ａ、３Ｂを介して、給電用リード線５Ａ、５Ｂに、それぞれ接続されている。給電用リード線５Ａ、５Ｂは、内管１４の孔１４ａ、１４ｂを貫通している。
【００５０】
図４Ａの比較例１では、近接導体が設けられていない。図４Ａ〜図４Ｃの比較例２、３及び実施例では、近接導体２０が設けられている。
【００５１】
図４Ｂの比較例２では、近接導体２０の第１の端部は、第１のＵ字ワイヤ３Ａに接続され、近接導体２０の第２の端部は、第２のキャピラリ部１Ｂの根元に巻き付けられて固定されている。更に、近接導体２０の中間部は、第１のキャピラリ部１Ａの根元に巻き付けられて固定されている。近接導体２０は、第１のＵ字ワイヤ３Ａ、及び第１及び第２のキャピラリ部１Ａ、１Ｂの根元に接触しているが、それ以外の部分は、発光管より浮いており、接触していない。比較例２では、近接導体２０の電位は、第１の電極リード１ａの電位に等しい。
【００５２】
図４Ｃの比較例３では、近接導体２０の第１の端部は、第１のＵ字ワイヤ３Ａに接続され、近接導体２０の第２の端部は、第２のキャピラリ部１Ｂの根元に巻き付けられて固定されている。比較例２と比較すると、比較例３では、近接導体２０の中間部は、第１のキャピラリ部１Ａの根元に巻き付けられていない。近接導体２０は、第１のＵ字ワイヤ３Ａと第２のキャピラリ部１Ｂの根元に接触しているが、それ以外の部分は、発光管より浮いており、接触していない。比較例３では、近接導体２０の電位は、第１の電極リード１ａの電位に等しい。
【００５３】
図４Ｄの実施例では、近接導体２０の第１の端部は、第１のキャピラリ部１Ａの根元に巻き付けられて固定され、近接導体２０の第２の端部は、第２のキャピラリ部１Ｂの根元に巻き付けられて固定されている。近接導体２０は、第１及び第２のキャピラリ部１Ａ、１Ｂの根元に接触しているが、それ以外の部分は、発光管に接触しているか、又は、接触しないで近接している。本実施例では、近接導体２０は、Ｕ字ワイヤ３Ａ、３Ｂに接続されていない。本実施例では、近接導体２０は、電極リード１ａ、１ｂに対して絶縁されており、浮遊電位状態となっている。
【００５４】
本願の発明者は、これらの比較例１〜３と実施例について、再始動時間を測定する実験を行った。尚、実験ではツインタイプのメタルハライドランプに給電回路を接続した。給電回路の例は、図７を参照して説明する。
【００５５】
図５Ａ及び図５Ｂは、本願の発明者が実施した通常条件下の再始動実験の結果を示す。この実験では、３０分点灯し、消灯直後に再始動を行った。図５Ａは、比較例１〜３及び実施例について、給電回路から定格電圧（ＡＣ２００ボルト）をランプに印加した場合の再始動時間を示し、図５Ｂは、比較例１〜３及び実施例について、給電回路から定格電圧の１０％減の電圧をランプに印加した場合の再始動時間を示す。再始動時間の単位は分である。
【００５６】
図５Ａに示すように、定格電圧の場合、近接導体を用いない比較例１では、再始動時間は、０〜６分とバラツキがあったが平均は３分程度であった。比較例２では、再始動時間は、極めて短く、殆ど瞬時に点灯した。比較例３では、再始動時間は、０〜４分とバラツキがあったが、平均は１分３０秒程度であった。実施例では、再始動時間は、０〜５０秒とバラツキがあったが、平均すると、殆ど瞬時に点灯した。
【００５７】
図５Ｂに示すように、定格電圧の１０％減の場合、近接導体を用いない比較例１では、再始動時間は、６〜７分程度であった。比較例２では、再始動時間は、０〜６分２０秒とバラツキがあったが、平均は１分４０秒程度であった。比較例３では、再始動時間は、４分５０秒程度であった。実施例では、殆ど瞬時に点灯した。
【００５８】
以上の結果から、次の知見が得られる。近接導体を用いない比較例１と、近接導体を用いる比較例２、３及び実施例を比較すると、比較例２、３及び実施例では、再始動時間が短くなる。従って、ツインタイプのセラミックメタルハライドにおいて、再始動時間を短くするには、近接導体を用いたほうがよい。
【００５９】
近接導体を用いる比較例２と比較例３を比較すると、有意な差異は見いだせなかった。従って、近接導体の電位を電極リードの電位に等しくする場合、近接導体を発光管のキャピラリ部で支持するか否かは重要ではない。近接導体の中間部を、発光管に接触させてもよいし、発光管の表面に接触させない状態で近接させてもよい。
【００６０】
近接導体を用いる比較例２、３と実施例を比較すると、実施例では、再始動時間が確実に短くなる。実施例では、再始動時間が極めて短く、殆ど瞬時で点灯した。従って、ツインタイプのセラミックメタルハライドにおいて、再始動時間を確実に短くするには、近接導体を電極リードに対して絶縁状態、即ち、浮遊電位状態とすればよい。尚、この場合、近接導体の中間部を、発光管に接触させてもよいし、発光管の表面に接触させない状態で近接させてもよい。
【００６１】
本願の発明者は、上述の始動実験において、再始動時間の測定と同時に、発光管におけるグロー放電の状態を観察した。その結果は次のとおりである。近接導体を用いない比較例１では、発光管の内部の略全体で、グロー放電が発生することが観察された。しかしながら、点灯するまでの時間、即ち、再始動時間は比較的長かった。一方、近接導体を用いた比較例２、３では、発光管の内部のうち、近接導体に近い領域でグロー放電が開始されることが観察された。即ち、近接導体を用いることによって、グロー放電が起き易くなるが、グロー放電が近接導体に近い局所的な領域で起きる。そのため、グロー放電が、発光管の内部の全体に広がらない。一方、実施例の場合、最初からグロー放電が、発光管の内部の広い領域で発生する。そのため、瞬時に、グロー放電が発光管の内部全体に広がり、点灯が起きる。
【００６２】
上述の通常条件下の再始動実験では、比較例１の再始動時間が最も長く、実施例の再始動時間が最も短かった。また、比較例２と比較例３では、再始動時間の差異は明確に認められなかった。そこで、本願の発明者は、サンプル数を増加し、過酷条件下の再始動実験を行った。
【００６３】
図６Ａ、図６Ｂ及び図６Ｃは、本願の発明者が実施した過酷条件下の再始動実験の結果を示す。この実験では、通常条件下の再始動実験と同様に、３０分点灯し、消灯直後に再始動を行った。電源電圧は定格電圧（ＡＣ２００ボルト）である。但し、この実験では、ランプの雰囲気温度を５０℃とした。尚、ランプの通常の使用温度範囲は−５℃〜３５℃である。
【００６４】
図６Ａは、比較例１の再始動時間の測定結果を示すグラフである。比較例１は、図４Ａに示す近接導体を使用しないランプである。図６Ｂは、比較例２及び３の再始動時間の測定結果を示すグラフである。比較例２及び３は、図４Ｂ及び図４Ｃに示す近接導体を使用し近接導体の電位が電極の電位と同一のランプである。図６Ｃは実施例の再始動時間の測定結果を示すグラフである。実施例は、図４Ｄに示す浮遊電位状態の近接導体を使用するランプである。これらのグラフの縦軸は頻度、横軸は時間であり、サンプル数は各１００である。
【００６５】
図６Ａに示すように、比較例１のランプでは、再始動時間が１〜６分とバラツキがあったが、４〜５分が最も多かった。図６Ｂに示すように、比較例２及び３のランプでは、再始動時間が１〜４分とバラツキがあったが、１分以下が最も多かった。図６Ｃに示すように、実施例のランプでは、２分以内に点灯した２本を除いて全て再始動時間が１分未満であり、大部分は瞬時又は数秒後に点灯した。以上より、雰囲気温度５０℃の過酷条件下でも、通常条件下と同様な結果が得られた。
【００６６】
過酷条件下の再始動実験の結果からも、比較例２と比較例３の間で再始動時間の差異を見いだせなかった。即ち、近接導体の電位を電極リードの電位に等しくする場合、近接導体の中間部を発光管に接触させた方が良いか接触させないほうが良いかを判定することができない。
【００６７】
実施例のサンプルには、近接導体の中間部が発光管の表面に接触しているものも接触していないものも含まれる。しかしながら、過酷条件下の再始動実験の結果から、再始動時間を短くするには、近接導体の中間部を発光管の表面に接触させた方が良いか、又は、接触させない状態で近接させた方が良いかを判定することはできなかった。一方、近接導体の中間部を発光管に接触させたランプでは、接触させないランプと比較してわずかに絶縁破壊するまでの時間が短くなるが、グロー放電からアーク放電に移行するまでの時間は長くなる傾向が見られた。
【００６８】
図７を参照して、本願の発明者が実施した再始動時間の測定試験に用いた給電回路を説明する。尚、この給電回路は、通常のツインタイプのセラミックメタルハライドランプに用いられる給電回路と同様な構成である。商用交流電源（100/200 V， 50/60Hz）２４に接続された安定器２６から始動用電圧パルスがセラミックメタルハライドランプ１０に印加される。安定器２６は、チョークコイル２７及びイグナイター（始動回路）２８を有している。ランプ内の２つの発光管１は、電源側に対して電気的に並列に接続されており、点灯し易い状態の一方の発光管のみが点灯する。
【００６９】
図に示すように、セラミックメタルハライドランプでは、ランプ自体に始動回路は無く、安定器２６からのパルスが発光管に印加される。従って、従来のセラミックメタルハライドランプの回路のソケットに対して、本実施形態のセラミックメタルハライドランプを取り付けることが出来る。従って、本実施形態のセラミックメタルハライドランプは、器具、安定器の組合せによっては既存設備を変更することなく、使用することが出来る。
【００７０】
以上、本実施形態に係る高輝度放電ランプについて説明したが、これらは例示であって、本発明の範囲を制限するものではない。当業者が、本実施形態に対して容易になしえる追加・削除・変更・改良等は、本発明の範囲内である。本発明の技術的範囲は、添付の特許請求の範囲の記載によって定められる。
【符号の説明】
【００７１】
１…発光管、１Ａ、１Ｂ…キャピラリ部、１Ｃ…発光部、１ａ、１ｂ…電極リード、２Ａ、２Ｂ…電極アセンブリ、３Ａ、３Ｂ…Ｕ字ワイヤ、５Ａ、５Ｂ…給電用リード線、６、７Ａ、７Ｂ…マウント、８Ａ、８Ｂ…支持部材、９Ａ、９Ｂ…給電用リード線、１０…セラミックメタルハライドランプ、１１…外管、１２…口金、１３…ステム、１４…内管、１４Ａ、１４Ｂ…半体、１４a、１４ｂ…孔、１４ｃ…開口端、１４ｓ…封止部（ピンチシール部）、１５…ワイヤ、２０…近接導体、２４…商用交流電源、２６…安定器、２７…チョークコイル、２８…イグナイター（始動回路）
【図１Ａ】
2014167865.tif 000003
【図１Ｂ】
2014167865.tif 000004
【図２Ａ】
2014167865.tif 000005
【図２Ｂ】
2014167865.tif 000006
【図２Ｃ】
2014167865.tif 000007
【図３Ａ】
2014167865.tif 000008
【図３Ｂ】
2014167865.tif 000009
【図３Ｃ】
2014167865.tif 000010
【図３Ｄ】
2014167865.tif 000011
【図３Ｅ】
2014167865.tif 000012
【図４Ａ】
2014167865.tif 000013
【図４Ｂ】
2014167865.tif 000014
【図４Ｃ】
2014167865.tif 000015
【図４Ｄ】
2014167865.tif 000016
【図５Ａ】
2014167865.tif 000017
【図５Ｂ】
2014167865.tif 000018
【図６Ａ】
2014167865.tif 000019
【図６Ｂ】
2014167865.tif 000020
【図６Ｃ】
2014167865.tif 000021
【図７】
2014167865.tif 000022